(57)【要約】【課題】液剤容器および液剤供給水路および液剤供給装置に残存する液剤の変質や固着することを抑制する洗濯機を提供することを目的とする。【解決手段】本発明に係る洗濯機は、外郭を形成する筐体６と、筐体内に支持される外槽３と、外槽３内に回転可能に支持される内槽１と、内槽１内の水を温度上昇させる加熱手段２１と、液剤１７を貯留する液剤容器１７ａと、液剤容器１７ａと内槽１とを連通する液剤搬出経路と、液剤容器１７ａ内の液剤１７を液剤搬出経路へ供給する液剤供給装置１９とを備え、液剤容器１７ａ内、液剤搬出経路内、液剤供給装置１９内の少なくともいずれかに存在する液剤の温度上昇を抑制する温度上昇抑制手段３１とを備える。【選択図】図１
2020074830.tif 000002
【特許請求の範囲】
【請求項１】
外郭を形成する筐体と、前記筐体内に支持される外槽と、前記外槽内に回転可能に支持される洗濯槽と、前記洗濯槽内の水を加熱する加熱手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えた洗濯機。
【請求項２】
外郭を形成する筐体と、前記筐体内に支持される外槽と、前記外槽内に回転可能に支持される洗濯槽と、前記洗濯槽内の水を加熱する温風供給手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えた洗濯機。
【請求項３】
外郭を形成する筐体と、前記筐体内に支持される外槽と、前記外槽内に回転可能に支持される洗濯槽と、前記洗濯槽内に温水を供給する温水供給手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えた洗濯機。
【請求項４】
前記温度上昇抑制手段は、前記液剤容器、前記液剤供給装置、前記液剤搬出経路、外槽の周辺のいずれかに配設され、前記温度上昇抑制手段は、断熱手段により構成される請求項１から３のいずれか１項に記載の洗濯機。
【請求項５】
前記断熱手段は外槽の略上方に配設され、前記液剤容器または前記液剤供給装置、または前記液剤搬出経路を覆うように構成される請求項４に記載の洗濯機。
【請求項６】
前記液剤容器、前記液剤供給装置、前記液剤搬出経路の少なくともいずれかを冷却する冷却手段を備える請求項１から５のいずれか１項に記載の洗濯機。
【請求項７】
前記冷却手段は、冷却用送風手段により構成される請求項６に記載の洗濯機。
【請求項８】
前記冷却用送風手段は、前記液剤容器、前記液剤供給装置、前記液剤搬出経路の少なくともいずれかに向かって送風する請求項７に記載の洗濯機。
【請求項９】
前記筐体には、外部と連通する孔が形成し、前記冷却用送風手段は前記筐体内の空気を前記孔を介して前記筐体の外側へ送風する請求項８に記載の洗濯機。
【請求項１０】
前記冷却手段は、冷却水を用いて前記液剤容器、前記液剤供給装置、前記液剤搬出経路の少なくともいずれかを冷却する請求項６に記載の洗濯機。
【請求項１１】
前記液剤供給装置、前記温度上昇抑制手段を制御する制御ユニットを備え、前記制御ユニットは、前記洗濯槽内の水を温度上昇させる手段を動作させる際に、前記温度上昇抑制手段を動作させるよう制御する請求項１から１０のいずれか１項に記載の洗濯機。
【請求項１２】
前記洗濯槽内の水を温度上昇させる手段、前記液剤供給装置、前記温度上昇抑制手段を制御する制御ユニットと、前記液剤容器内、前記液剤搬出経路内、前記液剤供給装置内の少
なくともいずれかに存在する液剤の温度を検知する温度検知手段とを備え、前記制御ユニットは、前記温度検知手段が出力する検知温度に応じて前記温度上昇抑制手段を動作させる請求項１から１１のいずれか１項に記載の洗濯機。
【請求項１３】
前記洗濯槽に内蓋を備えた請求項１から１２のいずれか１項に記載の洗濯機。
【請求項１４】
前記筐体に形成され水道水を供給する給水口と、前記給水口から給水される水道水の流れを制御する給水弁と、液体タンクを収容するタンク収容部と、液体を吸引し前記洗濯槽へ吐出するポンプユニットと、前記給水口から給水される水道水と前記液体タンクから吐出される液体の内いずれか一方をポンプユニットへ供給する切換弁と、前記給水弁や前記ポンプユニットや前記切換弁などを制御するコントローラと、を備える請求項１から１３のいずれか１項に記載の洗濯機。
【請求項１５】
外郭を形成する筐体と、前記筐体内に支持される外槽と、前記外槽内に回転可能に支持される洗濯槽と、前記洗濯槽内の衣類を乾燥させる乾燥手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えた洗濯乾燥機。
【請求項１６】
前記液剤搬出経路は、前記液剤容器内の液剤を前記液剤搬出経路へ供給する液剤供給装置を備え、前記温度上昇抑制手段は、前記液剤容器内に存在する液剤、前記液剤搬出経路内に存在する液剤、前記液剤供給装置内に存在する液剤のいずれかの温度上昇を抑制する請求項１５に記載の洗濯乾燥機。
【請求項１７】
前記温度上昇抑制手段は、前記液剤容器、前記液剤搬出経路、前記液剤供給装置のいずれかの温度上昇を抑制する請求項１５または請求項１６のいずれかに１記載の洗濯乾燥機。
【請求項１８】
前記温度上昇抑制手段は、断熱手段により構成され、前記液剤容器、前記液剤供給装置、前記液剤搬出経路、前記乾燥用加熱手段のいずれかの周辺に配設される請求項１５から１７のいずれか１項に記載の洗濯乾燥機。
【請求項１９】
前記断熱手段は、前記乾燥用加熱手段の外郭に配設する請求項１８に記載の洗濯乾燥機。
【請求項２０】
前記断熱手段は、前記液剤容器、前記液剤供給装置、前記液剤搬出経路のいずれかを覆うように構成する請求項１８に記載の洗濯乾燥機。
【請求項２１】
前記温度上昇抑制手段は、前記液剤容器、前記液剤供給装置、前記液剤搬出経路のいずれかを冷却する冷却手段により構成する請求項１５から２０のいずれか１項に記載の洗濯乾燥機。
【請求項２２】
前記冷却手段は、冷却用送風手段により構成される請求項２１に記載の洗濯乾燥機。
【請求項２３】
前記冷却用送風手段は、前記液剤容器、前記液剤供給装置、前記液剤搬出経路のいずれかに向かって送風する請求項２２に記載の洗濯乾燥機。
【請求項２４】
前記筐体には、外部と連通する孔を形成し、前記冷却用送風手段は、前記筐体内の空気を前記孔を介して前記筐体の外側へ送風する請求項２２または２３のいずれか１項に記載の洗濯乾燥機。
【請求項２５】
前記温度上昇抑制手段は、冷却水を用いて前記液剤容器、前記液剤供給装置、前記液剤搬出経路のいずれかを冷却する前記冷却手段により構成する請求項２１に記載の洗濯乾燥機。
【請求項２６】
前記乾燥手段は、除湿水を用いて前記乾燥用風路内の温風を除湿することで乾燥を行い、前記冷却水は、前記除湿水により前記液剤容器、前記液剤供給装置、前記液剤搬出経路のいずれかを冷却する請求項１５に記載の洗濯乾燥機。
【請求項２７】
前記乾燥用加熱手段、前記液剤供給装置、前記温度上昇抑制手段を制御する制御ユニットを備え、前記制御ユニットは、前記乾燥手段を動作させる際に前記温度上昇抑制手段を動作させるよう制御する請求項２１に記載の洗濯乾燥機。
【請求項２８】
前記乾燥手段、前記液剤供給装置、前記温度上昇抑制手段を制御する制御ユニットと、前記液剤容器内に存在する液剤、前記液剤搬出経路内に存在する液剤、前記液剤供給装置内に存在する液剤のいずれかの温度を検知する温度検知手段と、を備え、前記制御ユニットは、前記温度検知手段が出力する検知温度に応じて前記温度上昇抑制手段を動作させるよう制御する請求項２１に記載の洗濯乾燥機。
【発明の詳細な説明】
【技術分野】
【０００１】
本発明は、液剤投入装置を搭載した洗濯機及び洗濯乾燥機に関する。
【背景技術】
【０００２】
液剤投入装置により洗剤液又は柔軟剤液などの液剤を洗濯槽へ供給する洗濯機が提案されている（例えば、特許文献１参照）。
【０００３】
特許文献１の洗濯機は、外郭を形成する筐体と、筐体内に支持された外槽と、外槽内に回転可能に支持された洗濯槽と、筐体上部に固定結合された固定ボディーと、固定ボディーに着脱可能に結合された引出ボディーと、引出ボディーに着脱可能に結合され内部に液剤を収容する液体容器と、固定ボディー後方に固定され液体容器内の液剤を洗濯槽へ供給する自動ポンピング手段と、を備える。自動ポンピング手段を駆動させることにより、洗濯物量に応じた液剤を洗濯槽内へ供給する。
【０００４】
一方で、近年、衣類の汚れ落ちを向上させる方法として、温水を用いて洗濯を行う方法が普及してきている。温水を用いた洗濯は、洗剤の酵素成分を活性化することや、主な汚れの成分の一つである皮脂の溶解を促進することにより、汚れ落ちを向上することができる。また、本洗いの前に温水を用いて洗濯を行う、いわゆる予洗いを行うことにより、衣類の黄ばみや、臭いの原因となる菌を洗い落とす洗濯方法も提案されている。
【０００５】
これらの洗濯を全自動で行うためには、液剤を自動で洗濯槽へ供給する手段を備えることは大変有用である。
【先行技術文献】
【特許文献】
【０００６】
【特許文献１】特開２０００−３５０８９４号公報
【発明の概要】
【発明が解決しようとする課題】
【０００７】
しかしながら、上記従来の構成では、液体容器や、自動ポンピング手段などの液剤供給水路内に残存する液剤が、温水を用いた洗濯時の温度上昇、また、長期使用または保管により、液剤の変質や固着が発生し、液体容器からの液剤吐出量が変化する虞があった。
【０００８】
本発明は、上記従来の課題を解決するもので、液体容器および液剤供給水路に残存する液剤の変質や、固着を抑制する洗濯機及び洗濯乾燥機を提供することを目的とする。
【課題を解決するための手段】
【０００９】
前記従来の課題を解決するために、本発明の洗濯機は、外郭を形成する筐体と、前記筐体内に支持される外槽と、前記外槽内に回転可能に支持される洗濯槽と、前記洗濯槽内の水を加熱する加熱手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えたものである。
【００１０】
これにより、液剤の温度上昇を抑制することができ、液剤の粘度上昇を防ぐことができる。
【発明の効果】
【００１１】
本発明の洗濯機は、液剤の粘度上昇を防ぐことができ、液剤容器内または液剤搬出経路内の詰まりを抑制することができ、液剤供給機能を長期間持続することができる。
【図面の簡単な説明】
【００１２】
【図１】本発明の実施の形態１の洗濯乾燥機の断面図
【図２】本発明の実施の形態２の洗濯乾燥機の断面図
【図３】本発明の実施の形態３における洗濯機の外観斜視図
【図４】同洗濯機の縦断面図
【図５】本発明の実施の形態４における洗濯機の縦断面図
【図６】本発明の実施の形態５における洗濯機の縦断面図
【図７】本発明の実施の形態６における洗濯機の冷却用送風手段と外郭カバーの孔の配置を示した上面図
【発明を実施するための形態】
【００１３】
第１の発明の洗濯機は、外郭を形成する筐体と、前記筐体内に支持される外槽と、前記外槽内に回転可能に支持される洗濯槽と、前記洗濯槽内の水を加熱する加熱手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えたものである。
【００１４】
これにより、液体容器、液剤供給水路、および液剤供給装置に残存する液剤の変質や固着を抑制できる。
【００１５】
第２の発明の洗濯機は、外郭を形成する筐体と、前記筐体内に支持される外槽と、前記外槽内に回転可能に支持される洗濯槽と、前記洗濯槽内の水を加熱する温風供給手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えたものである。
【００１６】
これにより、液体容器、液剤供給水路、および液剤供給装置に残存する液剤の変質や固着を抑制できる。
【００１７】
第３の発明の洗濯機は、外郭を形成する筐体と、前記筐体内に支持される外槽と、前記外槽内に回転可能に支持される洗濯槽と、前記洗濯槽内に温水を供給する温水供給手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えたものである。
【００１８】
これにより、液体容器、液剤供給水路、および液剤供給装置に残存する液剤の変質や固着を抑制できる。
【００１９】
第４の発明の洗濯機は、特に、第１から第３のいずれかの発明の温度上昇抑制手段は、前記液剤容器、前記液剤供給装置、前記液剤搬出経路、外槽の周辺のいずれかに配設され、前記温度上昇抑制手段は、断熱手段により構成されるものである。
【００２０】
これにより、ランニングコストをかけることなく、洗濯機の運転中だけではなく、長期
間に放置された場合でも、前記液体容器および前記液剤供給水路および前記ポンプユニットに残存する液剤の変質や固着を抑制できる。
【００２１】
第５の発明の洗濯機は、特に、第４の発明の断熱手段は、外槽の略上方に配設され、前記液剤容器または前記液剤供給装置、または前記液剤搬出経路を覆うように構成されるものである。
【００２２】
これにより、液剤の補充が容易に行えるように、液剤容器を洗濯機の上方、すなわち外槽の略上方に配設した場合でも、液体容器、液剤供給水路および液剤供給装置に残存する液剤の変質や固着を抑制できる。
【００２３】
第６の発明の洗濯機は、特に、第１から第５のいずれかの発明において、前記液剤容器、前記液剤供給装置、前記液剤搬出経路の少なくともいずれかを冷却する冷却手段を備えるものである。
【００２４】
これにより、より効果的に温度上昇を抑制することができ、液体容器、液剤供給水路および液剤供給装置に残存する液剤の変質や固着することを抑制できる。
【００２５】
第７の発明の洗濯機は、特に、第６の発明の冷却手段は、冷却用送風手段により構成されるものである。
【００２６】
これにより、比較的簡易な冷却手段によって広範囲に渡り温度上昇を抑制することができ、液体容器、液剤供給水路および液剤供給装置に残存する液剤の変質や固着を抑制できる。
【００２７】
第８の発明の洗濯機は、特に、第７の発明の冷却用送風手段は、前記液剤容器、前記液剤供給装置、前記液剤搬出経路の少なくともいずれかに向かって送風するものである。
【００２８】
これにより、直接的に液剤容器、液剤供給装置、または、液剤搬出経路を冷却することができ、液体容器、液剤供給水路および液剤投入装置に残存する液剤の変質や固着を抑制できる。
【００２９】
第９の発明の洗濯機は、特に、第８の発明の筐体には、外部と連通する孔が形成されており、前記冷却用送風手段は前記筐体内の空気を前記孔を介して前記筐体の外側へ送風するものである。
【００３０】
これにより、筐体内の冷却効果が上がるため、液体容器、液剤供給水路および液剤投入装置に残存する液剤の変質や固着を抑制できる。
【００３１】
第１０の発明の洗濯機は、特に、第６の発明の前記冷却手段は、冷却水を用いて前記液剤容器、前記液剤供給装置、前記液剤搬出経路の少なくともいずれかを冷却するものである。
【００３２】
これにより、冷却効果が向上するため、液体容器、液剤供給水路および液剤投入装置に残存する液剤の変質や固着を抑制できる。
【００３３】
第１１の発明の洗濯機は、特に、第１から第１０のいずれかの発明の前記液剤供給装置、前記温度上昇抑制手段を制御する制御ユニットを備え、前記制御ユニットは、前記洗濯槽内の水を温度上昇させる手段を動作させる際に、前記温度上昇抑制手段を動作させるよう制御するものである。
【００３４】
これにより、温水を用いた洗濯時に、液体容器、液剤供給水路および液剤投入装置に残存する液剤の変質や固着を抑制できる。
【００３５】
第１２の発明の洗濯機は、特に、第１から第１１のいずれかの発明の前記洗濯槽内の水を温度上昇させる手段、前記液剤供給装置、前記温度上昇抑制手段を制御する制御ユニットと、前記液剤容器内、前記液剤搬出経路内、前記液剤供給装置内の少なくともいずれかに存在する液剤の温度を検知する温度検知手段とを備え、前記制御ユニットは、前記温度検知手段が出力する検知温度に応じて前記温度上昇抑制手段を動作させるものである。
【００３６】
これにより、液体容器、液剤供給水路および液剤投入装置に残存する液剤を所定の温度以下に保つことができ、より適切に液剤の変質や固着を抑制できる。
【００３７】
第１３の発明の洗濯機は、特に、第１から第１２のいずれかの発明の前記洗濯槽に内蓋を備えたものである。
【００３８】
これにより、洗濯槽内の温水により発生する蒸気を洗濯槽内で略封止することにより、液体容器、液剤供給水路および液剤投入装置に残存する液剤の温度上昇を抑制することができ、液剤の変質や固着を抑制できる。
【００３９】
第１４の発明の洗濯機は、特に、第１から第１３のいずれかの発明の前記筐体に形成され水道水を供給する給水口と、前記給水口から給水される水道水の流れを制御する給水弁と、液体タンクを収容するタンク収容部と、液体を吸引し前記洗濯槽へ吐出するポンプユニットと、前記給水口から給水される水道水と前記液体タンクから吐出される液体の内いずれか一方をポンプユニットへ供給する切換弁と、前記給水弁や前記ポンプユニットや前記切換弁などを制御するコントローラとを備えるものである。
【００４０】
これにより、水道水によって、液剤給水路およびポンプユニットに液剤が残留するのを抑制することができ、液剤の変質や固着を抑制できる。
【００４１】
第１５の発明の洗濯乾燥機は、外郭を形成する筐体と、前記筐体内に支持される外槽と、前記外槽内に回転可能に支持される洗濯槽と、前記洗濯槽内の衣類を乾燥させる乾燥手段と、液剤を貯留する液剤容器と、前記液剤容器と前記洗濯槽とを連通する液剤搬出経路と、前記液剤容器内の液剤を前記液剤搬出経路へ供給する液剤供給装置とを備え、少なくとも前記液剤容器、前記液剤搬出経路、前記液剤供給装置内のいずれかに存在する液剤の温度上昇を抑制する温度上昇抑制手段を備えたものである。
【００４２】
これにより、液剤容器内に存在する液剤、または液剤搬出経路内に存在する液剤の温度上昇に伴う液剤容器内、または液剤搬出経路内の詰まりを防ぐことができ、液剤供給機能を長期間持続することができる。
【００４３】
第１６の発明の洗濯乾燥機は、特に、第１５の発明の前記液剤搬出経路は、前記液剤容器内の液剤を前記液剤搬出経路へ供給する液剤供給装置を備え、前記温度上昇抑制手段は、前記液剤容器内に存在する液剤、前記液剤搬出経路内に存在する液剤、前記液剤供給装置内に存在する液剤のいずれかの温度上昇を抑制するものである。
【００４４】
これにより、液剤容器内に存在する液剤、液剤搬出経路内に存在する液剤、または液剤供給装置内に存在する液剤の温度上昇に伴う、液剤容器内または液剤搬出経路内の詰まりを防ぐことができ、液剤供給機能を長期間持続することができる。
【００４５】
第１７の発明の洗濯乾燥機は、特に、第１５または第１６の発明の前記温度上昇抑制手段は、前記液剤容器、前記液剤搬出経路、前記液剤供給装置のいずれかの温度上昇を抑制するものである。
【００４６】
これにより、液剤容器内に存在する液剤、液剤搬出経路内に存在する液剤、または液剤供給装置内に存在する液剤の温度上昇を抑制することができ、したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。
【００４７】
第１８の発明の洗濯乾燥機は、特に、第１５から１７のいずれかの発明において、前記温度上昇抑制手段は、前記液剤容器、前記液剤供給装置、前記液剤搬出経路、または、前記乾燥用加熱手段の周辺に配設され、前記温度上昇抑制手段は、断熱手段により構成されるものである。
【００４８】
これにより、外部環境、または加熱用加熱手段から液剤容器、液剤供給装置、液剤搬出経路のいずれかへの熱移動を抑制することができ、液剤容器、液剤搬出経路、液剤供給装置のいずれかの温度上昇を抑制することができる。液剤容器内に存在する液剤、液剤搬出経路内に存在する液剤、または、液剤供給装置内に存在する液剤の温度上昇を抑制することができ、液剤容器内に存在する液剤、液剤搬出経路内に存在する液剤、または、液剤供給装置内に存在する液剤の温度上昇に伴う液剤容器内または液剤搬出経路内の詰まりを防ぐことができ、液剤供給機能を長期間持続することができる。
【００４９】
第１９の発明の洗濯乾燥機は、特に、第１８の発明の前記断熱手段は、前記乾燥用加熱手段の外郭に配設するものである。
【００５０】
これにより、加熱用加熱手段から液剤容器、液剤供給装置、液剤搬出経路のいずれかへの熱移動を効果的に抑制することができ、液剤容器、液剤搬出経路、液剤供給装置のいずれかの温度上昇を抑制することができる。液剤容器内に存在する液剤、液剤搬出経路内に存在する液剤、または、液剤供給装置内に存在する液剤の温度上昇を抑制することができ、液剤容器内に存在する液剤、液剤搬出経路内に存在する液剤、または、液剤供給装置内に存在する液剤のいずれかの温度上昇に伴う、液剤容器内または液剤搬出経路内の詰まりを防ぐことができ、液剤供給機能を長期間持続することができる。
【００５１】
第２０の発明の洗濯乾燥機は、第１８の発明の前記断熱手段は、前記液剤容器、前記液剤供給装置、前記液剤搬出経路のいずれかを覆うように構成するものである。
【００５２】
これにより、外部環境、または、加熱用加熱手段から液剤容器、液剤供給装置、液剤搬出経路のいずれかへの熱移動をより効果的に抑制することができ、液剤容器、液剤搬出経路、液剤供給装置のいずれかの温度上昇を抑制することができる。液剤容器内に存在する液剤、液剤搬出経路内に存在する液剤、または、液剤供給装置内に存在する液剤の温度上昇を抑制することができ、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。
【００５３】
第２１の発明の洗濯乾燥機は、第１５から２０のいずれかの発明において、前記温度上昇抑制手段は、前記液剤容器、前記液剤供給装置、前記液剤搬出経路のいずれかを冷却する冷却手段により構成するものである。
【００５４】
これにより、液剤容器、液剤搬出経路、または、液剤供給装置のいずれかの温度上昇を
抑制することができ、液剤容器内に存在する液剤、液剤搬出経路内に存在する液剤、または液剤供給装置内に存在する液剤の温度上昇を抑制することができる。したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。
【００５５】
第２２の発明の洗濯乾燥機は、第２１の発明の前記冷却手段は、冷却用送風手段により構成されるものである。
【００５６】
これにより、液剤容器、液剤搬出経路、または、液剤供給装置のいずれかの温度上昇を抑制することができ、液剤容器内に存在する液剤、液剤搬出経路内に存在する液剤、または液剤供給装置内に存在する液剤の温度上昇を抑制することができる。したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。
【００５７】
第２３の発明の洗濯乾燥機は、第２２の発明の前記冷却用送風手段は、前記液剤容器、前記液剤供給装置、前記液剤搬出経路のいずれかに向かって送風するものである。
【００５８】
これにより、液剤容器、液剤搬出経路、または、液剤供給装置から発生する熱を効果的に拡散することで、液剤容器、液剤搬出経路、または、液剤供給装置の温度上昇を抑制することができる。すなわち、液剤容器内に存在する液剤、液剤搬出経路内に存在する液剤、または、液剤供給装置内に存在する液剤の温度上昇を抑制することができる。したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。
【００５９】
第２４の発明の洗濯乾燥機は、第２２または２３の発明において、前記筐体には、外部と連通する孔を形成し、前記冷却用送風手段は、前記筐体内の空気を前記孔を介して前記筐体の外側へ送風するものである。
【００６０】
これにより、筐体内の換気を行い、液剤容器、液剤搬出経路、または、液剤供給装置のいずれかから発生する熱を効果的に拡散することで、液剤容器、液剤搬出経路、または、液剤供給装置の温度上昇を抑制することができる。これにより、液剤容器内に存在する液剤、液剤搬出経路内に存在する液剤、または、液剤供給装置内に存在する液剤の温度上昇を抑制することができる。したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。
【００６１】
第２５の発明の洗濯乾燥機は、第２１の発明の前記温度上昇抑制手段は、冷却水を用いて前記液剤容器、前記液剤供給装置、前記液剤搬出経路のいずれかを冷却する前記冷却手段により構成するものである。
【００６２】
これにより、液剤容器、液剤搬出経路、または、液剤供給装置のいずれかから発生する熱を冷却水に吸収させ、液剤容器、液剤搬出経路、または、液剤供給装置の温度上昇を抑制することができ、液剤容器内に存在する液剤、液剤搬出経路内に存在する液剤、または液剤供給装置内に存在する液剤の温度上昇を抑制することができる。したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、
液剤供給機能を長期間持続することができる。
【００６３】
第２６の発明の洗濯乾燥機は、第１５の発明の前記乾燥手段は、除湿水を用いて前記乾燥用風路内の温風を除湿することで乾燥を行い、前記冷却水は、前記除湿水により前記液剤容器、前記液剤供給装置、前記液剤搬出経路のいずれかを冷却するものである。
【００６４】
これにより、液剤容器、液剤搬出経路、または、液剤供給装置のいずれかから発生する熱を冷却水に吸収させ、液剤容器、液剤搬出経路、または、液剤供給装置の温度上昇を抑制することができ、液剤容器内に存在する液剤、液剤搬出経路内に存在する液剤、または液剤供給装置内に存在する液剤の温度上昇を抑制することができる。したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。さらに、除湿と冷却を同一の水で行うことができるため、使用する水の量を少なくすることができる。
【００６５】
第２７の発明の洗濯乾燥機は、第２１の発明の前記乾燥用加熱手段、前記液剤供給装置、前記温度上昇抑制手段を制御する制御ユニットを備え、前記制御ユニットは、前記乾燥手段を動作させる際に前記温度上昇抑制手段を動作させるよう制御するものである。
【００６６】
これにより、乾燥手段から多くの熱量が発生するときに効率的に、液剤容器、液剤搬出経路、または、液剤供給装置のいずれかの温度上昇を抑制することができ、液剤容器内に存在する液剤、液剤搬出経路内に存在する液剤、または、液剤供給装置内に存在する液剤の温度上昇を抑制することができる。したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。
【００６７】
第２８の発明の洗濯乾燥機は、第２１の発明において、前記乾燥手段、前記液剤供給装置、前記温度上昇抑制手段を制御する制御ユニットと、前記液剤容器内に存在する液剤、前記液剤搬出経路内に存在する液剤、前記液剤供給装置内に存在する液剤のいずれかの温度を検知する温度検知手段と、を備え、前記制御ユニットは、前記温度検知手段が出力する検知温度に応じて前記温度上昇抑制手段を動作させるよう制御するものである。
【００６８】
これにより、より少ない電力で、液剤容器内に存在する液剤、液剤搬出経路内に存在する液剤、または、液剤供給装置内に存在する液剤のいずれかの温度上昇を抑制することができる。したがって、液剤容器内に存在する液剤、液剤搬出経路内に存在する液剤、または、液剤供給装置内に存在する液剤の温度上昇に伴う、液剤容器内または液剤搬出経路内の詰まりを防ぐことができ、液剤供給機能を長期間持続することができる。
【００６９】
以下、本発明の実施の形態について、図面を参照しながら説明する。なお、この実施の形態によって本発明が限定されるものではない。
【００７０】
（実施の形態１）
図１は、本発明の実施の形態１における洗濯乾燥機の側断面図である。
【００７１】
図１において、内槽１は、内底面に撹拌翼２を回転自在に配設し、内槽１の外側に外槽３を設けている。外槽３の底面に内槽１と撹拌翼２を駆動するモータ４を取り付け、駆動部の切り換えを行うクラッチ装置５を介して内槽１、または、撹拌翼２を駆動するように構成している。外槽３は、筐体６にサスペンション７を介して防振支持される。内槽１の上部には、液体を内封した流体バランサー８を固定し、外槽３の上面は、外槽カバー２８
によって覆われている。
【００７２】
筐体６の上部は、筐体カバー１３によって覆われ、筐体カバー１３に制御装置３０、給水弁２７、給水経路１２等が配設されている。筐体カバー１３の略中央には、洗濯物の出し入れを行う孔部を有し、孔部は、蓋体１４により開閉自在に閉塞される。
【００７３】
筐体カバー１３内には、柔軟剤１５を溜める柔軟剤タンク１７ａと、液体洗剤１６を溜める洗剤タンク１７ｂとを設けている。柔軟剤タンク１７ａと、洗剤タンク１７ｂには、柔軟剤１５および液体洗剤１６を給水経路１２まで導く洗剤ホース１９を接続している。ポンプ１８は、洗剤ホース１９を介して給水経路１２まで、柔軟剤１５および液体洗剤１６を搬出する。
【００７４】
乾燥用送風手段２１は、乾燥用加熱手段２２により加熱された温風を、上部蛇腹ホース２３を通して内槽１に送風するもので、乾燥用送風手段２１と乾燥用加熱手段２２は、筐体６の略上方に配設している。
【００７５】
熱交換器２４は、湿った温風を除湿するもので、一端を外槽３の下部に接続した下部蛇腹ホース２５に接続し、他端を乾燥用送風手段２１に接続している。また、熱交換器２４の中途には、熱交換器２４に冷却水を供給する冷却水投入口２６を設け、給水弁２７から冷却水ホース３２を通して水を供給する。
【００７６】
乾燥用加熱手段２２は、例えば、ＰＴＣヒータで構成する。ＰＴＣヒータは、温度上昇時に電気抵抗も大きくなる特性を有するため、一定温度以下に保つことができ、好適である。また、乾燥用加熱手段２２は、ヒートポンプで構成すると、一般的にＰＴＣヒータで構成する場合に比べて温度上昇が小さいため、好適である。
【００７７】
冷却水を供給する冷却水ホース３２は、柔軟剤タンク１７ａと、洗剤タンク１７ｂの近傍に引き回してから冷却水投入口２６に接続する構成にする。この構成により、柔軟剤タンク１７ａと洗剤タンク１７ｂの冷却と、熱交換器２４における除湿とに、同じ冷却水を利用でき、冷却水を無駄に使用することがなく、より効率的である。
【００７８】
外槽カバー２８は、外槽３の上面を覆うもので、外槽カバー２８に内蓋２９を開閉自在に設け、衣類の出し入れを行う。
【００７９】
本実施の形態においては、温度上昇抑制手段として断熱手段を用い、断熱手段として板状の断熱材３１を用いている。
【００８０】
板状の断熱材３１は、ポンプ１８、柔軟剤タンク１７ａ、洗剤タンク１７ｂ、洗剤ホース１９に対して、乾燥用加熱手段２２からの熱を分断するように設けられている。断熱材３１は、外部環境、または乾燥用加熱手段２２から発生する熱がポンプ１８と、柔軟剤タンク１７ａ、洗剤タンク１７ｂ、洗剤ホース１９へ伝達するのを抑制する。これにより、ポンプ１８、柔軟剤タンク１７ａ、洗剤タンク１７ｂ、洗剤ホース１９の温度上昇を抑制でき、ポンプ１８内の液剤、柔軟剤タンク１７ａ内の柔軟剤１５、洗剤タンク１７ｂ内の液体洗剤１６、洗剤ホース１９内の液剤の温度上昇を抑制することができる。
【００８１】
なお、断熱材３１は、ポンプ１８と、柔軟剤タンク１７ａ、洗剤タンク１７ｂ、または洗剤ホース１９のいずれかを覆うように設けてもよいし、乾燥用加熱手段２２の外郭に構成してもよい。
【００８２】
これらの構成の場合も、乾燥用加熱手段２２から発生する熱が、ポンプ１８と、柔軟剤
タンク１７ａ、洗剤タンク１７ｂ、洗剤ホース１９へ伝達するのを防ぐことができる。これにより、ポンプ１８、柔軟剤タンク１７ａ、洗剤タンク１７ｂ、洗剤ホース１９の温度上昇を抑制でき、ポンプ１８内の液剤、柔軟剤タンク１７ａ内の柔軟剤１５、洗剤タンク１７ｂ内の液体洗剤１６、洗剤ホース１９内の液剤の温度上昇を抑制することができる。
【００８３】
なお、本実施の形態では、特に、柔軟剤は、一般的に、液体洗剤よりも温度上昇時に粘度上昇を起こしやすいため、柔軟剤１５の温度上昇を防ぐ目的で柔軟剤タンク１７ａを筐体カバー１３の中で乾燥用加熱手段２２から洗剤タンク１７ｂよりも遠い位置に配置している。
【００８４】
温度検知手段３９は、乾燥用送風手段２１と乾燥用加熱手段２２との間に設け、温度検知手段４０は、下部蛇腹ホース２５の近傍に設け、二つの温度検知手段３９、４０により内槽１内の衣類の乾燥度合いを検知するようにしている。
【００８５】
なお、柔軟剤タンク１７ａ内の柔軟剤１５、洗剤タンク１７ｂ内の液体洗剤１６、洗剤ホース１９内の液剤、または、ポンプ１８内の液剤を冷却して、温度上昇を直接抑制する目的でペルチェ素子を柔軟剤タンク１７ａ内、洗剤タンク１７ｂ内、洗剤ホース１９内、または、ポンプ１８内に設けてもよい。
【００８６】
（実施の形態２）
図２は、本発明の実施の形態２における洗濯機の側断面図である。図２において、実施の形態１と同一構成部品は、同一符号を付して説明を省略する。
【００８７】
本実施の形態２は、温度上昇抑制手段として冷却用送風手段３４を設けている。冷却用送風手段３４は、柔軟剤タンク１７ａ、洗剤タンク１７ｂ、ポンプ１８、または、洗剤ホース１９に向かって送風する方向に設けてもよいし、孔３３を介して筐体カバー１３内の空気を筐体カバー１３の外側へ送風する方向に設けてもよい。
【００８８】
柔軟剤タンク１７ａ、洗剤タンク１７ｂ、ポンプ１８、または、洗剤ホース１９に向かって送風する方向に設けた場合、局所的に冷却することができる。例えば、柔軟剤タンク１７ａのみを冷却したい場合に特に有効である。一方で、筐体カバー１３の外側へ送風する方向に設けた場合、筐体カバー１３内を平均的に冷却することができる。例えば、柔軟剤タンク１７ａ、洗剤タンク１７ｂ、ポンプ１８、そして、洗剤ホース１９を全て平均的に冷却したい場合に有効である。
【００８９】
制御装置３０は、乾燥運転時に冷却用送風手段３４を駆動させる。これにより、乾燥用加熱手段２２から多くの熱量が発生するときに、効率的に、柔軟剤タンク１７ａ、洗剤タンク１７ｂ、ポンプ１８、または、洗剤ホース１９の温度上昇を抑制することができる。
【００９０】
なお、制御装置３０は、温度検知手段３９の検知温度が所定の温度に達した際に、冷却用送風手段３４を駆動させるようにしてもよい。この場合、乾燥運転時以外で温度上昇が起きるときにも柔軟剤タンク１７ａ、洗剤タンク１７ｂ、ポンプ１８、または、洗剤ホース１９の温度上昇を抑制することができ、より広い効果を得られる。
【００９１】
また、温度検知手段を柔軟剤タンク１７ａ内、洗剤タンク１７ｂ内、ポンプ１８内、または、洗剤ホース１９内に追加し、温度検知手段の検知温度を基に冷却用送風手段３４を駆動させてもよい。この場合、柔軟剤タンク１７ａ内の柔軟剤１５、洗剤タンク１７ｂ内の液体洗剤１６、ポンプ１８内の液剤、または、洗剤ホース１９内の液剤の温度を直接測定することができるため、冷却用送風手段３４の駆動タイミングをより正確に制御できる。
【００９２】
なお、本実施の形態では、液剤供給装置としてポンプ１８を備えているが、液剤供給装置がない場合でも、冷却用送風手段３４により、柔軟剤タンク１７ａ内の柔軟剤１５、洗剤タンク１７ｂ内の液体洗剤１６、または、洗剤ホース１９内の液剤の温度上昇を抑制する効果を得ることができる。
【００９３】
（実施の形態３）
図３は、本発明の実施の形態３におけるドラム式洗濯機の外観斜視図、図４は、同洗濯機の縦断面図である。本実施の形態のドラム式洗濯機は、乾燥機能を備えていない。
【００９４】
図３および図４において、洗濯機１００の外郭である筐体１０１の内部には、有底円筒形の外槽１０５が複数のサスペンション（図示せず）およびダンパー１６３により弾性的に防振支持されている。外槽１０５内には、有底円筒形のドラム１０６（洗濯槽）が回転可能に配設される。
【００９５】
ドラム１０６の内壁面には、バッフル１０６ａが複数個設けられている。ドラム１０６を低速で回転させることにより、バッフル１０６ａが衣類を引っ掛けて上方に持ち上げ、落下させる撹拌動作を与えることができる。ドラム１０６の周面には、貫通された多数の小孔（図示せず）が形成されている。外槽１０５の底部には、ドラム１０６を回転駆動させる槽回転モータ（図示せず）が配設される。
【００９６】
筐体１０１の前面には、衣類を出し入れするために開口された衣類投入取出口１０３が形成されている。筐体１０１の前面には、蓋体１０２が設けられている。蓋体１０２は、衣類投入取出口１０３を開閉自在に覆っている。蓋体１０２を開放することにより、衣類投入取出口１０３からドラム１０６内へ衣類を出し入れできる。
【００９７】
筐体１０１の外槽１０５よりも上部には、液剤投入装置１０９が設けられている。
【００９８】
図１に示すように、筐体１０１上部には、開閉可能な蓋体１１４ａが設けられる。蓋体１１４ａを開けて液体タンクである洗剤タンク１１７および液体タンクである柔軟剤タンク１２６を着脱可能に装着できる。
【００９９】
蓋体１０２上部には、運転を操作する操作部と、運転状態を表示する表示部とを備える操作表示部１０４が配設される。
【０１００】
図４に示すように、外槽１０５内の略底面に加熱手段２０１を設けている。加熱手段２０１は、一般的にはシーズヒータが用いられ、衣類および水または洗濯液の温度を適宜上昇することができる。なお、加熱手段２０１は、外槽１０５の外部に配設し、水路により接続してもよい。また、加熱手段２０１の代替手段として、温風供給手段または温水給湯手段を用いてもよい。
【０１０１】
図４に示すように、液剤投入装置１０９の周辺及び下方位置に温度上昇抑制手段として断熱手段３０１を設けている。断熱手段３０１は、外槽１０５の略上方に設けている。
【０１０２】
断熱手段３０１は、ＰＰやＰＥＴやＡＢＳなどの樹脂により構成することができる。断熱手段３０１の一部については、液剤投入装置１０９の支持部材として構成してもよい。断熱手段３０１の材質については、発泡系断熱材のウレタンフォームや繊維系断熱材のグラスウールなどを用いてもよい。
【０１０３】
また、本実施の形態３は、実施の形態２と同様に、冷却用送風手段（図示せず）を設け
ている。冷却用送風手段は、洗剤投入装置１０９に向かって送風する方向に設けてもよいし、孔（図示せず）を介して筐体１０１内の空気を外側へ送風する方向に設けてもよい。
【０１０４】
図４に示した、加熱手段２０１の例えばシーズヒータに通電することにより、衣類および水または洗濯液の温度を適宜上昇する。水温は、一般的には３０〜５０℃に設定される。
【０１０５】
また、衣類の除菌を目的とする場合には、水温は５０〜９５℃に設定される。
【０１０６】
このとき、外槽１０５内の衣類および水または、洗濯液の温度上昇に伴い、外槽１０５自体も温度上昇する。温水を用いた洗濯の中でも、特に衣類の除菌を目的とした洗濯コースや衣類の黄ばみを除去する洗濯コースでは、比較的長時間、例えば、３０分〜６時間、所定の水温を維持するため、外槽１０５自体も所定の水温と略同等の温度まで上昇し、温度が維持される。
【０１０７】
したがって、熱源である外槽１０５からの熱対流によって、筐体１０１内の温度が上昇し、特に外槽１０５の略上方に配置された液剤投入装置１０９の温度が上昇する。
【０１０８】
液剤の中でも、特に、柔軟剤は、高温下に長期間置かれると、粘度上昇や変質、あるいは、固着が生じる。ある市販の柔軟剤を６０℃に連続放置した実験では、２週間で粘度が大幅に上昇し、３週間では、柔軟剤の成分が分離する現象を確認した。
【０１０９】
したがって、温度上昇抑制手段にて液剤の温度を６０℃以下に抑制することができれば実使用上問題がない。
【０１１０】
本実施の形態では、図４に示すように、断熱手段３０１により液剤の温度上昇を抑制することができる。
【０１１１】
環境温度４０℃での温水を用いた洗濯においても、熱源である外槽１０５からの熱対流に対して、液剤、特に柔軟剤の温度が６０℃以下に抑制できるように断熱手段を選定している。断熱手段は、樹脂を用いて熱対流を抑制しているが、より断熱効果の高い発泡系断熱材のウレタンフォームや繊維系断熱材のグラスウールなどを用いてもよい。
【０１１２】
本実施の形態３の構成により、特に柔軟剤の温度が６０℃以下に抑制できる。これにより、液剤容器、液剤供給水路およびポンプユニットに残存する液剤の変質や固着するのを抑制できる。
【０１１３】
（実施の形態４）
図５は、本発明の実施の形態４における洗濯機の縦断面図である。本実施の形態４は、乾燥機能を備えていない点で、実施の形態１と相違する。実施の形態１と同一構成部品は、同一符号を付して説明を省略する。
【０１１４】
図５に示すように、外槽３内の略底面に加熱手段４１が設けている。加熱手段４１は、一般的にはシーズヒータが用いられ、衣類および水または洗濯液の温度を適宜上昇することができる。
【０１１５】
洗剤タンク１７ｂ、柔軟剤タンク（図示せず）および液剤投入装置（図示せず）の周辺及び下方位置に温度上昇抑制手段として断熱手段３１を設けている。断熱手段３１は、外槽３よりも略上方位置で洗剤タンク１７ｂ、柔軟剤タンク及び液剤投入装置を覆うように設けている。
【０１１６】
断熱手段３１は、ＰＰやＰＥＴやＡＢＳなどの樹脂により構成することができる。断熱手段３１の一部については、洗剤タンク１７ｂ、柔軟剤タンクおよび液剤投入装置の支持部材として構成してもよい。また、筐体カバー１３の一部を用いて断熱手段３１を構成してもよい。
【０１１７】
洗剤タンク１７ｂ、柔軟剤タンクおよび液剤投入装置の周辺には、温度上昇抑制手段として冷却手段３４を設けている。冷却手段３４は、断熱手段３１で囲まれる空間内に設けている。
【０１１８】
上記構成において、洗濯行程では、内槽１内に投入された洗濯物（衣類等）の量に適した水量を給水弁１１から給水経路１２を通して外槽３に供給する。
【０１１９】
実施の形態３にて説明した通り、温水を用いた洗濯において、外槽３内の衣類および水、または洗濯液の温度上昇に伴い、外槽３自体も温度上昇する。
【０１２０】
また、本実施の形態では、実施の形態３に比べて撹拌翼２を用いた水流により洗濯する構成上、洗濯に使用する水量が相対的に多く、洗濯にかかる時間も比較的長いことが一般的であり、温水を用いた洗濯では、実施の形態３に比べて、温度上昇が促進されやすく、かつ、長時間となる構成となっている。
【０１２１】
本実施の形態では、断熱手段３１により液剤の温度上昇を抑制することができる。
【０１２２】
環境温度４０℃における温水を用いた洗濯においても、熱源である外槽３からの蒸気および熱対流に対して、液剤、特に柔軟剤の温度が６０℃以下に抑制できるような断熱手段を選定している。断熱手段は、樹脂を用いているが、より断熱効果の高い発泡系断熱材のウレタンフォームや繊維系断熱材のグラスウールなどを用いてもよい。
【０１２３】
以上のように、本実施の形態では、熱源である外槽３からの蒸気および熱対流に対して、液剤、特に柔軟剤の温度を６０℃以下に抑制できる。
【０１２４】
これにより、ランニングコストをかけることなく、洗濯機の運転中だけではなく、長期間に放置された場合でも、液剤容器および液剤供給水路およびポンプユニットに残存する液剤の変質や固着することを抑制できる。
【０１２５】
（実施の形態５）
図６は、本発明の実施の形態５における洗濯機の縦断面図である。本実施の形態において、実施の形態４と同一構成部品は、同一符号を付して説明を省略する。
【０１２６】
筐体６の外槽３よりも上方位置に、液剤タンク１７を設けている。液剤タンク１７は、洗剤タンク及び柔軟剤タンクから構成される。
【０１２７】
本実施の形態５においても、温度上昇抑制手段として断熱材３１を設けている。断熱手段３１の構成、作用、効果については他の実施の形態と同様であるが、本実施の形態では、図６に示すように、温度上昇抑制手段として外槽３の上部に内蓋２９を設けている。
【０１２８】
内蓋３３は、外槽３からの蒸気を略封止することができるため、断熱手段３１との相乗効果により液剤の温度上昇をより抑制することができる。
【０１２９】
これにより、液剤の補充が容易に行えるように、液剤容器を洗濯機の上方、すなわち外
槽の略上方に配設した場合でも、液体容器および液剤供給水路およびポンプユニットに残存する液剤の変質や固着することを抑制できる。
（実施の形態６）
図７は、本発明の実施の形態６における洗濯機の冷却用送風手段と外郭カバーの孔の配置を示した上面図である。本実施の形態において、実施の形態４と同一構成部品は、同一符号を付して説明を省略する。
【０１３０】
筐体カバー１３内に温度上昇抑制手段として冷却手段３４を配設している。冷却手段３４は、冷却ファンを用い、適宜通電して送風することにより洗剤タンク１７ｂや柔軟剤タンク１７ａを冷却することができる。
【０１３１】
これにより、比較的簡易な冷却手段によって広範囲に渡り温度上昇を抑制することができ、液体容器および液剤供給水路およびポンプユニットに残存する液剤の変質や固着するのを抑制できる。
【０１３２】
冷却手段３４を、柔軟剤タンク１７ａ、洗剤タンク１７ｂ、液剤投入装置に向かって送風する方向に設けた場合には、局所的に冷却することができる。例えば、柔軟剤タンク１７ａのみを冷却したい場合に特に有効である。冷却手段３４を、筐体カバー１３の外側へ向かって送風する方向に設けて配設した場合には、筐体カバー１３内を平均的に冷却することができる。例えば、洗剤タンク１７ｂ、柔軟剤タンク１７ａ、液剤投入装置を平均的に冷却したい場合に有効である。
【０１３３】
制御装置は、加熱手段４１を用いた運転時に冷却手段３４を駆動させる。加熱手段４１から多くの熱量が発生するときに、効率的に、柔軟剤タンク１７ａ、洗剤タンク１７ｂ、液剤投入装置の温度上昇を抑制することができる。
【０１３４】
制御装置は、筐体６内の温度を検出する温度検知手段の検知温度が所定温度に達した際に、冷却手段３４を駆動させるようにしてもよい。この場合、加熱手段４１を用いた運転時以外で温度上昇が生じた際にも、柔軟剤タンク１７ａ、洗剤タンク１７ｂ、液剤投入装置の温度上昇を抑制することができ、より広い効果を得られる。
【０１３５】
本実施の形態においては、断熱手段３１と洗剤タンク１７ｂの間に粉末洗剤等を投入する洗剤ケース１７ｃを配置している。洗剤ケース１７ｃが断熱空間としての役割を果たし、柔軟剤タンク１７ａ、洗剤タンク１７ｂ、液剤投入装置の温度上昇を抑制することができる。
【０１３６】
また、温度検知手段を柔軟剤タンク１７ａ内、洗剤タンク１７ｂ内、液剤投入装置に設け、温度検知手段の検知温度を基に冷却手段３４を駆動させてもよい。この場合、柔軟剤タンク１７ａ内の柔軟剤、洗剤タンク１７ｂ内の液体洗剤、液剤投入装置内の液剤の温度を直接測定することができるため、冷却手段３４の駆動タイミングをより正確に制御できる。
【０１３７】
なお、本実施の形態では、液剤投入装置を備えているが、液剤投入装置がない構成であっても、冷却手段３４により、柔軟剤タンク１７ａ内の柔軟剤、洗剤タンク１７ｂ内の液体洗剤の温度上昇を抑制する効果を得ることができる。
【０１３８】
また、図７において、筐体カバー１３の一部に孔５１および孔５２を設けても良い。孔５１の近傍に冷却手段４１を配設し、孔５１から洗濯機の外気を取り入れることにより、冷却効果を向上ことができる。孔５２から筐体カバー１３および断熱手段３１に囲まれた空間内の外気と比較して温度上昇した空気を排出することにより、冷却効果を上げること
ができる。
【０１３９】
これらにより、冷却効果が上がるため、液体容器および液剤供給水路およびポンプユニットに残存する液剤の変質や固着するのを抑制できる。
【０１４０】
また、冷却手段３４として冷却ファンを配設しない場合でも、孔５１と孔５２からを設けることにより、筐体カバー１３および断熱手段３１に囲まれた空間内で、いわゆる自然対流を活用することができ、自然対流を冷却手段として断熱手段３１との相乗効果により液剤の温度上昇をより抑制することができる。
【０１４１】
なお、温水による洗濯には、外槽内の水を温度上昇させる手段として、温風供給手段を用いてもよい。温風供給手段としては、例えば乾燥ユニットを用いても良い。また、温水による洗濯には、温水供給手段を用いてもよい。
【産業上の利用可能性】
【０１４２】
以上のように、本発明にかかる洗濯機及び洗濯乾燥機は、液剤容器内または液剤搬出経路内に存在する液剤の温度上昇を抑制でき、液剤の変質や固着による詰まりを防ぐことが可能となるので、衣類の乾燥機能と、液剤供給機能をともに有した洗濯機等の用途にも適用できる。
【符号の説明】
【０１４３】
１  内槽
２  撹拌翼
３  外槽
４  モータ
６  筐体
１２  給水経路
１３  筐体カバー
１４  蓋体
１５  柔軟剤
１６  液体洗剤
１７ａ  柔軟剤タンク
１７ｂ  洗剤タンク
１８  ポンプ
１９  洗剤ホース
２１  乾燥用送風手段
２２  乾燥用加熱手段
２３  上部蛇腹ホース
２４  熱交換器
２５  下部蛇腹ホース
２６  冷却水投入口
２７  給水弁
２８  外槽カバー
２９  内蓋
３０  制御装置
３１  断熱材
３２  冷却水ホース
３３  孔
３４  冷却用送風手段
３９  温度検知手段
４０  温度検知手段
【図１】
2020074830.tif 000003
【図２】
2020074830.tif 000004
【図３】
2020074830.tif 000005
【図４】
2020074830.tif 000006
【図５】
2020074830.tif 000007
【図６】
2020074830.tif 000008
【図７】
2020074830.tif 000009